(57)【要約】【課題】携帯電話機に付設するだけで、個人あるいは複数人でカラオケを楽しむことが可能で、しかもエコー付加した音声等のカラオケ機能を発揮させることができる携帯カラオケ用アダプタを提供する。【解決手段】カラオケ曲を受信し、再生可能な携帯電話機１の音声出力部に接続可能な接続部１３ａと、マイク１２からの音声信号入力手段１３ｂと、前記接続部からの音声信号とマイクからの音声信号とをミキシングするミキシング部１４と、該ミキシング部の出力を音響機器１９Ａ，１９Ｂに出力する出力部としてのトランスミッタ１５とから構成されている。【選択図】　　　　図１
2004117892.tif 000002
【特許請求の範囲】
【請求項１】
カラオケ曲を受信し、再生可能な携帯電話機の音声出力部に接続可能な接続部と、
マイクからの音声信号入力手段と、
前記接続部からの音声信号とマイクからの音声信号とをミキシングするミキシング部と、
該ミキシング部の出力を音響機器に出力する出力部とを備えたことを特徴とする携帯カラオケ用アダプタ。
【請求項２】
カラオケ曲を受信可能な携帯電話機からの曲データを音楽データとして再生する音楽再生部と、
マイクからの音声入力手段と、
前記音楽再生部の出力とマイクからの音声信号とをミキシングするミキシング部と、
該ミキシング部の出力を音響機器に出力する出力部とを備えたことを特徴とする携帯カラオケ用アダプタ。
【請求項３】
請求項１または請求項２記載の携帯カラオケ用アダプタにおいて、
前記出力部は音響機器へ電波として出力するトランスミッターであることを特徴とする携帯カラオケ用アダプタ。
【請求項４】
請求項１、請求項２または請求項３記載の携帯カラオケ用アダプタにおいて、
前記ミキシング部には、マイクからの信号にエコー処理を施すエコー回路が接続されていることを特徴とする携帯カラオケ用アダプタ。
【請求項５】
請求項１ないし請求項４のいずれか１項に記載の携帯カラオケ用アダプタにおいて、
前記携帯電話機の音声出力をイヤホンに出力することを特徴とする携帯カラオケ用アダプタ。
【請求項６】
請求項１ないし請求項４のいずれか１項に記載の携帯カラオケ用アダプタにおいて、
前記マイクからの音声信号を携帯電話機のマイク入力に出力することを特徴とする携帯カラオケ用アダプタ。
【発明の詳細な説明】
【０００１】
【発明の属する技術分野】
本発明は、携帯電話機を用い、場所を選ばずにカラオケを楽しむことが可能なカラオケシステムに用いて好適な携帯カラオケ用アダプタに関する。
【０００２】
【従来の技術】
従来から、光ディスクを用いたカラオケ装置や通信回線によってデータをダウンロードする通信カラオケ装置などが実現されており、特に通信カラオケ装置は、曲データの蓄積が必要ないことから、小型化、低価格化が可能である。しかし、この通信カラオケ装置も据え置きが基本であり、持ち運びに適しているとは言えなかった。
【０００３】
このため、持ち運びを可能とし、場所を選ばずにカラオケを楽しむことができるカラオケシステムとして、携帯電話機を曲データの受信および再生手段、さらに楽譜、歌詞データの表示手段とすることにより、カラオケ機器として用いるようにしたものが従来既に提案されている。（例えば、特許文献１参照）。
【０００４】
【特許文献１】
特開２００１−２０９３８９号公報
【０００５】
【発明が解決しようとする課題】
しかしながら、上述した携帯電話機を用いたカラオケシステムでは、以下のような実用面でも問題があり、機能面でも、また使い勝手等の面からカラオケシステムとしては不十分なものであった。
【０００６】
すなわち、上述したカラオケシステムでは、図４および図５に示すように、携帯電話機１のハンズフリー通話用のイヤホンマイク等のヘッドセット２を用い、そのイヤホンマイク端子５を携帯電話機１のイヤホン端子（図示せず）に接続し、イヤホン３で曲データの再生音声を聞きながらマイク４に向かって歌うことで、カラオケを楽しむことができる。
【０００７】
しかし、このような従来例では、一人でしかカラオケを楽しむことができないという問題がある。特に、この種のカラオケは、複数人で楽しむのが普通であり、使い勝手が悪い。
また、この種の携帯電話機用のヘッドセット２は、ハンズフリー通話を行うためのもので、エコー機能がない等、カラオケ仕様にはなっておらず、カラオケを楽しむうえで必要なエコー付きマイクがないという問題もあった。
【０００８】
このような問題を解消するために、イヤホンマイク端子５からイヤホン３の出力を取り出し、別に設けた外部アンプ、エコー付きマイクを組み合わせれば、カラオケの演奏とマイクをミキシングして外部のスピーカからエコー付きの音を出し、しかも複数人で楽しむことができるが、全体の構造が複雑となり、専用の装置が必要で、持ち運び等の面で問題であった。
【０００９】
本発明はこのような事情に鑑みてなされたものであり、携帯電話機でダウンロードしたカラオケデータを利用して個人あるいは複数人でカラオケを楽しむことができ、しかも音声にエコーを付加することも可能で、さらに従来必要であった複雑な専用の装置も不要である携帯カラオケ用アダプタを提供することを目的としている。
【００１０】
【課題を解決するための手段】
このような目的に応えるために本発明（請求項１記載の発明）に係る携帯カラオケ用アダプタは、カラオケ曲を受信し、再生可能な携帯電話機の音声出力部に接続可能な接続部と、マイクからの音声信号入力手段と、前記接続部からの音声信号とマイクからの音声信号とをミキシングするミキシング部と、該ミキシング部の出力を音響機器に出力する出力部とを備えたことを特徴とする。
【００１１】
本発明（請求項２記載の発明）に係る携帯カラオケ用アダプタは、カラオケ曲を受信可能な携帯電話機からの曲データを音楽データとして再生する音楽再生部と、マイクからの音声入力手段と、前記音楽再生部の出力とマイクからの音声信号とをミキシングするミキシング部と、該ミキシング部の出力を音響機器に出力する出力部とを備えたことを特徴とする。
【００１２】
本発明（請求項３記載の発明）に係る携帯カラオケ用アダプタは、上述した請求項１または請求項２を具体的に限定したものであって、前記出力部は音響機器へ電波として出力するトランスミッターであることを特徴とする。
本発明（請求項４記載の発明）に係る携帯カラオケ用アダプタは、上述した請求項１、請求項２または請求項３を具体的に限定したものであって、前記ミキシング部には、マイクからの信号にエコー処理を施すエコー回路が接続されていることを特徴とする。
【００１３】
本発明（請求項５記載の発明）に係る携帯カラオケ用アダプタは、請求項１ないし請求項４のいずれか１項において、前記携帯電話機の音声出力をイヤホンに出力することを特徴とする。
本発明（請求項６記載の発明）に係る携帯カラオケ用アダプタは、請求項１ないし請求項４のいずれか１項において、前記マイクからの音声信号を携帯電話機のマイク入力に出力することを特徴とする。
【００１４】
本発明（請求項１ないし請求項６のいずれか１項に記載の発明）によれば、カラオケ用として携帯電話機を使用し、該携帯電話でダウンロードしたカラオケデータを利用して個人あるいは複数人でカラオケを楽しむことができる。
すなわち、本発明によれば、この携帯カラオケ用アダプタを携帯電話機に付設することによって、該携帯電話機でカラオケ曲を受信し、さらにこの携帯電話機でその曲を再生し、再生音とマイクからの音声を合成し、ラジカセ等の音響機器へ信号を送ることができるから、携帯電話機や音響機器には何らの加工を施すことなく、携帯電話機から着信したカラオケ音楽をカラオケとして楽しむことができるのである。
【００１５】
【発明の実施の形態】
図１および図２は本発明に係る携帯カラオケ用アダプタの一実施の形態を示す。これらの図において、符号１０は携帯カラオケ用アダプタであり、この実施の形態では、携帯電話機１においてハンズフリー通話用として用いられるイヤホンマイクを利用し、カラオケ機能を付加することにより、カラオケを楽しむことができるようにした場合を説明する。
【００１６】
図１において、携帯カラオケ用アダプタ１０は、イヤホン１１、マイク１２とイヤホンマイク端末部（イヤホン出力部１３ａとマイク入力部１３ｂとからなる）としてのイヤホンマイク端子１３を有し、この端子１３は、携帯電話機１のイヤホン端子部（図示せず）に接続される。ここで、このイヤホンマイク端子１３を構成するイヤホン出力部１３ａは、カラオケ曲を受信し、再生可能な携帯電話機１の音声出力部に接続可能な接続部であり、またマイク入力部１３ｂはマイク１２からの音声信号の入力手段となるところである。
【００１７】
１４は前記接続部であるイヤホン出力部１３ｂからの音声信号とマイク１２からの音声信号とをミキシングするミキシング部、１５は該ミキシング部１４の出力を図２（ａ），（ｂ）に例示する音響機器１９Ａ，１９Ｂに出力する出力部としてのトランスミッタである。
【００１８】
１６はマイク１２からの信号を増幅するマイクアンプ、１７はその信号にエコー処理を施すマイクエコー回路であり、これによりエコー付きの音声を得ることができるのである。
【００１９】
ここで、１９Ａは音響機器としてのラジカセ、１９Ｂはカーステレオを例示しているが、これに限らず、アンテナ１８から送信された電波を受信することで音声信号を再生することができる音声再生装置であればこれに限らない。
なお、１８は音響機器１９Ａ，１９Ｂに電波を送信するアンテナである。
【００２０】
以上の構成による携帯カラオケ用アダプタ１０によれば、カラオケ用として携帯電話機１を使用し、該携帯電話機１でインターネット等を介してダウンロードしたカラオケデータを利用して個人あるいは複数人でカラオケを楽しむことができるのである。
【００２１】
すなわち、この携帯カラオケ用アダプタ１０を携帯電話機１に付設することによって、該携帯電話機１でインターネットのサイトからカラオケの曲をダウンロードして受信し、カラオケの曲データと歌詞データとを携帯電話機１に蓄積し、再生するとよい。そして、上述したようにマイクエコー回路１７とトランスミッタ１５とを組み込み、カラオケ再生装置として使用できるイヤホンマイクを兼ねる携帯カラオケ用アダプタ１０で、再生音とマイクからの音声を合成し、ラジカセ、カーステレオ等の音響機器１９Ａ，１９Ｂへ信号を送り、ここでカラオケの再生を行うとよい。
【００２２】
換言すれば、携帯電話機１で再生した音とマイク１２で歌った音とをミキシングしてＦＭトランスミッタで飛ばし、これを外部の音響機器１９Ａ，１９ＢでのＦＭ受信機で受信し、ミキシングされたカラオケの音を再生してスピーカから音として出す。
【００２３】
このようにすれば、携帯電話機１や音響機器１９Ａ，１９Ｂには何らの加工を施すことなく、携帯カラオケ用アダプタ１０を用いるだけで、携帯電話機１から着信したカラオケ音楽をカラオケとして楽しむことができるのである。
なお、歌詞は、携帯電話機１での曲の再生と同時に、該携帯電話機１の画面に表示させるとよい。
【００２４】
なお、この実施の形態の携帯カラオケ用アダプタ１０によれば、上述したマイクアンプ１６、マイクエコー回路１７、ミキシング回路１４、トランスミッタ１５等の追加回路の動作を停止するように電源を切るためのスイッチを設け、電源を切ると、通常のイヤホンマイクとしてハンズフリー通話時に利用することができるものである。
【００２５】
図３は本発明の別の実施の形態を示す。すなわち、上述した実施の形態では、イヤホンマイク等のヘッドセットにマイクアンプ１６、マイクエコー回路１７、ミキシング回路１４、トランスミッタ１５を付加することで携帯カラオケ用アダプタ１０としているが、これに限らず、携帯電話機１の底部にある外部端子から外部端末２１を介してＭＩＤＩデータを取り出し、ＭＩＤＩ再生装置２２からカラオケの演奏を再生させるように構成してもよい。このＭＩＤＩ再生装置２２はイヤホン出力の音と同じカラオケの演奏となるもので、これをイヤホン１１で聞くように構成すればよい。
【００２６】
なお、本発明は上述した実施の形態で説明した構造には限定されず、各部の形状、構造等を適宜変形、変更し得ることはいうまでもない。たとえば上述した実施の形態では、出力部としてトランスミッタ１５を用いることで、外部の音響機器であるラジカセ１９Ａ、カーステレオ１９Ｂ等のチューナ、アンプ、スピーカ等の装置をカラオケの受信、再生用として代用して利用しているが、これに限定されず、ライン入力などで行ってもよい。
【００２７】
また、上述した実施の形態では、アダプタ１０をイヤホンマイクを基本として構成した場合を例示しているが、これに限定されないことは言うまでもない。
さらに、カラオケ用のデータのダウンロードは、携帯電話機１においてｉアプリのカラオケソフトを利用する等の方法をとってもよい。
【００２８】
【発明の効果】
以上説明したように本発明に係る携帯カラオケ用アダプタによれば、携帯電話機や音響機器には何らの加工を施すことなく、当該アダプタを携帯電話機に付設し、また適宜の音響機器を用いるだけで、携帯電話機から着信したカラオケ音楽を個人あるいは複数人でカラオケとして楽しむことができる。
【図面の簡単な説明】
【図１】本発明に係る携帯カラオケ用アダプタの一実施の形態を示すブロック図である。
【図２】本発明に係る携帯カラオケ用アダプタの一実施の形態を示し、（ａ），（ｂ）は音声を出力する音響機器を例示した図である。
【図３】本発明に係る携帯カラオケ用アダプタの別の実施の形態を示すブロック図である。
【図４】従来の携帯電話機を用いたカラオケシステムを説明するための概略図である。
【図５】従来の携帯電話機を用いたカラオケシステムの回路ブロック図である。
【符号の説明】
１…携帯電話機
１０…携帯カラオケ用アダプタ
１１…イヤホン
１２…マイク
１３…イヤホンマイク端子
１４…ミキシング部
１５…トランスミッタ
１６…マイクアンプ
１７…マイクエコー回路
１８…アンテナ
１９Ａ，１９Ｂ…音響機器
２１…外部端末
２２…ＭＩＤＩ再生装置
【図１】
2004117892.tif 000003
【図２】
2004117892.tif 000004
【図３】
2004117892.tif 000005
【図４】
2004117892.tif 000006
【図５】
2004117892.tif 000007